(57)【要約】【課題】旧化粧材２に新化粧材６が上貼りされる内壁のリフォーム構造として、リフォーム時に旧化粧材２による破材や粉塵の発生が少なくて済み、新化粧材６の下地材１との密着性も高く、美麗に仕上げることができるようにする。【解決手段】壁面に、旧化粧材２の一部を下地材１が現れるまで除去した化粧材除去穴３，３，…が形成され、この化粧材除去穴３，３，…に接着剤Ａが充填され、新化粧材６は、旧化粧材２を覆うように該旧化粧材２上に配置されかつ化粧材除去穴３，３，…に充填された接着剤Ａにより下地材１に接着されて固定されている。【選択図】図１
2015055096.tif 000002
【特許請求の範囲】
【請求項１】
古い化粧材に新しい化粧材が上貼りされた内壁のリフォーム構造であって、
壁面に、上記古い化粧材の一部を上記下地材が現れるまで除去してなる化粧材除去部が形成され、
上記化粧材除去部に接着剤が充填され、
新しい化粧材は、古い化粧材を覆うように該古い化粧材上に配置されかつ上記化粧材除去部に充填された接着剤により少なくとも下地材に接着されて固定されていることを特徴とする内壁のリフォーム構造。
【請求項２】
請求項１において、
化粧材除去部は円形状又は略円形状であることを特徴とする内壁のリフォーム構造。
【請求項３】
請求項１又は２において、
化粧材除去部に接着剤が、古い化粧材の表面よりも突出するまで充填されていることを特徴とする内壁のリフォーム構造。
【請求項４】
請求項１〜３のいずれか１つにおいて、
化粧材除去部を除く古い化粧材の表面と、新しい化粧材の裏面とが両面接着テープにより接着されていることを特徴とする内壁のリフォーム構造。
【請求項５】
古い化粧材を下地材から剥がさずに新しい化粧材を上貼りする内壁のリフォーム方法であって、
上記古い化粧材の一部を下地材が現れるように除去して化粧材除去部を形成し、
その化粧材除去部に接着剤を古い化粧材の表面よりも突出するまで充填し、
新しい化粧材を古い化粧材上に該古い化粧材を覆うように配置しかつ上記化粧材除去部に充填された接着剤により少なくとも下地材に接着して固定することを特徴とする内壁のフォーム方法。
【発明の詳細な説明】
【技術分野】
【０００１】
本発明は、内壁の化粧材を新しいものにリフォームするリフォーム構造及びリフォーム方法に関し、特に古い化粧材を残したままリフォームする技術に関する。
【背景技術】
【０００２】
従来、室内の壁の内装材をリフォームする場合、既存の古い化粧材を全て除去して下地材を露出させ、その下地材の上に新しい化粧材を固定する施工方法が一般に行われている。
【０００３】
しかし、この施工方法では、既存の化粧材を除去するのに破材や粉塵が多く発生するだけでなく、工期が長くかかるという問題がある。
【０００４】
そこで、従来、例えば特許文献１に示されるように、既存のクロスや化粧板等の古い化粧材を剥がしたりせず、そのまま上から貼り付けることができるようにした化粧パネルが提案されている。
【先行技術文献】
【特許文献】
【０００５】
【特許文献１】特開２００２−１９４８８１号公報
【発明の概要】
【発明が解決しようとする課題】
【０００６】
しかし、上記特許文献１のものでは、古い化粧材の表面に新しい化粧パネルを貼り付けるので、その古い化粧材の表面状態の如何によっては、新しい化粧パネルの接着性や密着性が不十分となり、その新しい化粧パネルが剥がれる虞れがある。
【０００７】
また、古い化粧材と下地材との界面状態に不具合が生じていると、その界面状態によって新しい化粧材が古い化粧材と共に下地材から剥離するリスクもある。
【０００８】
本発明の目的は、内壁のリフォーム構造に工夫を加えることにより、リフォーム時に古い化粧材による破材や粉塵の発生が少なくて済み、新しい化粧材の下地材との密着性をも高くし、美麗に仕上げることができるようにすることにある。
【課題を解決するための手段】
【０００９】
上記の目的を達成するために、この発明では、新しい化粧材を古い化粧材の表面に接着するのではなく、その古い化粧材を下地材に至るまで部分的に除去して除去部分を形成し、その除去部分に充填された接着剤によって新しい化粧材を下地材に接着して固定するようにした。
【００１０】
具体的には、第１の発明は、古い化粧材に新しい化粧材が上貼りされた内壁のリフォーム構造であって、壁面に、上記古い化粧材の一部を上記下地材が現れるまで除去してなる化粧材除去部が形成され、この化粧材除去部に接着剤が充填され、新しい化粧材は、古い化粧材を覆うように該古い化粧材上に配置されかつ上記化粧材除去部に充填された接着剤により少なくとも下地材に接着されて固定されていることを特徴とする。
この第１の発明では、古い化粧材が部分的に除去されていて、その全体が除去されないので、その分、破材や粉塵の発生量が減って廃棄物が少なくなくなるとともに、大掛かりな工事とならず、住人の生活に及ぼす影響が小さくなる。
【００１１】
また、古い化粧材の一部を除去した上で、その古い化粧材の上に新しい化粧材を重ねて貼着するだけの工事で済むので、簡単な工事でよく、その工期も短くなる。
【００１２】
さらに、新しい化粧材は、古い化粧材の一部を除去した化粧材除去部内の接着剤によって下地材に直接接着されるので、古い化粧材と下地材との界面状態に不具合があったり、或いは古い化粧材自体に汚れ、剥がれ、浮き、凹凸等の不備があったりしても、それらに拘わらず新しい化粧材の接着性を確保することができる。
【００１３】
新しい化粧材が下地材と直接接着剤で接着されて固定されているので、その接着剤を充填するために古い化粧材を除去する化粧材除去部としては、下地材裏側に躯体がある箇所に限定する必要がない。すなわち、古い化粧材を除去する箇所を選ばないので、施工性が向上する。
【００１４】
一般に、接着剤は柔軟性や流動性、接着対象との適性を有する。このような接着剤の特性を利用し、施工現場において、古い化粧材のうちの除去しなかった部分及び下地材の表面状態や不陸状態に応じて、上記接着剤の充填量を増減させたり、或いは接着剤の種類を変えたりすることができるようになり、現場での対応が容易となって施工性が向上する。
【００１５】
第２の発明は、第１の発明において、上記化粧材除去部は円形状又は略円形状であることを特徴とする。
【００１６】
この第２の発明では、古い化粧材を除去した化粧材除去部が円形状又は略円形状であるので、その化粧材除去部に充填される接着剤が周方向の全体に亘り径方向に均等に広がり易くなり、新しい化粧材に対する必要な接着面積を確実に得ることができる。
【００１７】
また、古い化粧材に円形状又は略円形状の除去部分を形成するには、刃部が回転するドリルやホールソー等、一般的な作業者が所持している市販の電動工具や空気圧工具を使用することができ、作業性や施工性がよくなる。
【００１８】
第３の発明は、第１又は第２の発明において、化粧材除去部に接着剤が、古い化粧材の表面よりも突出するまで充填されていることを特徴とする。
【００１９】
この第３の発明では、化粧材除去部に充填された接着剤がその古い化粧材の表面よりも突出しているので、接着剤はその突出部分で新しい化粧材の裏面に確実に接触することとなり、新しい化粧材が下地材と接着剤で確実に接着されて固定される。
【００２０】
また、新しい化粧材を古い化粧材の表面に重ねる施工時には、その新しい化粧材を古い化粧材の表面に押し付けながら貼着することで、古い化粧材の表面よりも突出している接着剤が充填箇所からその周りの古い化粧材表面に広がって接着面積が増大し、接着に必要な面積は勿論、それよりも大きな接着面積が得られるようになり、古い化粧材の接着がより一層確実になる。
【００２１】
さらに、上記のように、新しい化粧材を古い化粧材の表面に押し付けながら貼着することで、新しい化粧材を適正な位置にずらしながら位置合わせすることができるようになり、内壁を美麗に仕上げることができる。
【００２２】
また、化粧材除去部に充填された接着剤が古い化粧材の表面よりも突出しているので、その接着剤の充填時に充填量の目安が容易になり、接着剤の量が不足するという不具合が生じることはない。一方、仮に接着剤を過剰に充填したとしても、その過剰の接着剤は、上記のように、充填箇所から広がって古い化粧材と新しい化粧材との間に充填されるようになり、接着力が増大する。
【００２３】
第４の発明は、第１〜第３の発明のいずれか１つにおいて、化粧材除去部を除く古い化粧材の表面と、新しい化粧材の裏面とが両面接着テープにより接着されていることを特徴とする。
【００２４】
この第４の発明では、古い化粧材の表面と、新しい化粧材の裏面とが部分的に両面接着テープで接着されているので、施工時に接着剤が固化して新しい化粧材が固定されるまでの間、その新しい化粧材を両面接着テープによって古い化粧材に仮止めすることができる。
【００２５】
また、古い化粧材の表面に剥がれや凹凸等の不具合があっても、両面接着テープとして例えば１ｍｍ程度の厚みを有する厚肉テープを用いることで、その不具合部分に空間が形成されるようになり、新しい化粧材を美麗に仕上げることができる。
【００２６】
第５の発明は、古い化粧材を下地材から剥がさずに新しい化粧材を上貼りする内壁のリフォーム方法であって、上記古い化粧材の一部を下地材が現れるように除去して化粧材除去部を形成し、その化粧材除去部に接着剤を古い化粧材の表面よりも突出するまで充填し、新しい化粧材を古い化粧材上に該古い化粧材を覆うように配置しかつ上記化粧材除去部に充填された接着剤により少なくとも下地材に接着して固定することを特徴とする。
【００２７】
この第５の発明では、内壁の古い化粧材に新しい化粧材を上貼りする場合に、下地材が現れるまで古い化粧材の一部が除去されて化粧材除去部が形成され、次いで、その化粧材除去部に接着剤が古い化粧材の表面よりも突出するまで充填され、その後、新しい化粧材が古い化粧材上に該古い化粧材を覆うように配置されて、化粧材除去部に充填された接着剤により少なくとも下地材に接着されて固定される。こうすることで、第１及び第３の発明と同様の作用効果を奏することができる。
【発明の効果】
【００２８】
以上説明したように、第１及び第５の発明によると、内壁のリフォーム時に古い化粧材を下地材に至るまで部分的に除去し、その化粧材除去部に接着剤をして、その充填された接着剤によって新しい化粧材を少なくとも下地材に接着して固定するようにしたことにより、古い化粧材による破材や粉塵の発生量が減って廃棄物が少なくなくなるとともに、古い化粧材と下地材との界面状態の不具合や古い化粧材自体の不備があっても、新しい化粧材の下地材との接着性を確保して、内壁のリフォーム構造を美麗に仕上げることができる。
【００２９】
第２の発明によると、化粧材除去部を円形状又は略円形状としたことにより、充填される接着剤を周方向の全体に均等に広がり易くして、新しい化粧材に対する必要な接着面積を確実に得ることができるとともに、古い化粧材に除去部分を形成する際に、一般的な作業者が所持している市販の電動工具や空気圧工具を使用して作業性や施工性を高めることができる。
【００３０】
第３の発明によると、化粧材除去部に接着剤を古い化粧材の表面よりも突出するまで充填するようにしたことにより、新しい化粧材を下地材に対し接着剤で確実に接着して固定することができる。また、施工時に新しい化粧材を古い化粧材の表面に押し付けながら貼着して、古い化粧材の表面よりも突出している接着剤を充填箇所から周りの古い化粧材表面に広げて接着面積を増大でき、古い化粧材の接着がより一層確実になるとともに、新しい化粧材を適正な位置にずらしながら位置合わせして、内壁を美麗に仕上げることができる。
【００３１】
第４の発明によると、化粧材除去部を除く古い化粧材の表面と、新しい化粧材の裏面とを両面接着テープで接着するようにしたことにより、施工時に接着剤が固化して新しい化粧材が固定されるまでの間、その新しい化粧材を両面接着テープによって古い化粧材に仮止めすることができるとともに、古い化粧材の表面にある剥がれや凹凸等の不具合部分に厚肉の両面接着テープによって空間を形成して、新しい化粧材を美麗に仕上げることができる。
【図面の簡単な説明】
【００３２】
【図１】図１は、本発明の実施形態に係る内壁のリフォーム構造を示す断面図である。
【図２】図２は、古い化粧材に形成された化粧材除去穴を示す正面図である。
【図３】図３は、接着剤充填穴部に接着剤を充填した状態を示す斜視図である。
【発明を実施するための形態】
【００３３】
以下、本発明の実施形態を図面に基づいて詳細に説明する。以下の好ましい実施形態の説明は、本質的に例示に過ぎず、本発明、その適用物或いはその用途を制限することを意図するものでは全くない。
【００３４】
（リフォーム構造）
図１は本発明の実施形態に係る内壁のリフォーム構造を示し、１は建物の内壁に施工されている下地材（壁下地材）、２は該下地材１上に施工されているリフォーム前のパネル状の旧化粧材（古い化粧材）であって、この旧化粧材２がリフォーム前の壁面を構成しており、その上に新化粧材６（新しい化粧材）が上貼りされている。
【００３５】
上記リフォーム前の壁面には、旧化粧材２の一部が裏側の下地材１が現れるまで除去されて複数の化粧材除去穴３，３，…（化粧材除去部）が形成されている。図２に示すように、これら複数の化粧材除去穴３，３，…は旧化粧材２の全体に亘り均等な配置で形成されている。この各化粧材除去穴３は、旧化粧材２を貫通する所定の径（例えば直径４ｃｍ程度）の円形状の有底凹部からなるもので、その底部に旧化粧材２裏側の下地材１が露出している。化粧材除去穴３は、旧化粧材２のみを貫通して底部が下地材１の表面からなるものであってもよく、或いは旧化粧材２を貫通して底部が下地材１の表面から内部に達したものであってもよい。また、化粧材除去穴３は円形状の他、略円形状のものが好ましいが、他の形状であってもよい。尚、各化粧材除去穴３としての円形状の有底凹部は、底面が平面とされた平板状（円柱状）のものに限らず、その他、例えば底面が傾斜したすり鉢状のものや、底面が基本的に平面でその中心部が部分的に他の部分よりも凹んだ鍋ぶた状のもの等、他の形状であってもよい。
【００３６】
壁面において、旧化粧材２を除去して化粧材除去穴３，３，…を形成する箇所や面積は、新化粧材６の重量や接着剤Ａの接着性能に応じて設定され、それに必要な箇所や面積以上であればよい。
【００３７】
また、壁面において、化粧材除去穴３，３，…を形成する箇所は、新化粧材６をバランスよく貼着できるようにするために、全体に亘って均等になるようにすることが望ましい。
【００３８】
上記旧化粧材２が部分的に除去されてなる各化粧材除去穴３にはそれぞれ接着剤Ａが旧化粧材２の表面よりも室内側に突出するまで充填されている。
【００３９】
この充填される接着剤Ａとしては、例えばシリコン系やウレタン系等のものを使用することができるが、下地材１と新化粧材６との間の接着性の適性に応じて選択すればよく、特に指定はない。
【００４０】
接着剤Ａは、鉛直方向に延びている壁面の化粧材除去穴３に塗布充填しても垂れ落ちない程度の粘性を有することが好ましい。
【００４１】
そして、新化粧材６は、旧化粧材２を覆うように該旧化粧材２上に配置されかつ上記化粧材除去穴３，３，…に充填された接着剤Ａ，Ａ，…により下地材１ないし旧化粧材２に接着されて固定されている。
【００４２】
また、上記各化粧材除去穴３を除く旧化粧材２の表面と、新化粧材６の裏面との間には両面接着テープ８が介在されていて、この両面接着テープ８により旧化粧材２と新化粧材６とが接着されている。
【００４３】
両面接着テープ８は、主として接着剤Ａが硬化するまでの間、旧化粧材２と新化粧材６とを仮止めするために用いられ、例えば１ｍｍ程度の厚みを有する厚肉テープが望ましい。このように厚肉テープであると、旧化粧材２の表面に剥がれや凹凸等の不具合があっても、その不具合部分に両面接着テープ８による空間が形成されるので、新化粧材６を美麗に仕上げることができる。
【００４４】
（リフォーム方法）
次に、上記リフォーム構造を得るためのリフォーム方法について説明する。このリフォーム方法は、旧化粧材２を下地材１から剥がさずに新化粧材６を上貼りする内壁のリフォーム方法であり、まず、旧化粧材２の一部を工具でくり抜いて下地材１が現れるように除去することで、複数の化粧材除去穴３，３，…を形成し、この各化粧材除去穴３の底部に下地材１を露出させる。
【００４５】
このときに使用される工具は、ホールソー、ドリル、自在錐、錐等の穴開け工具が用いられ、旧化粧材２を剥がせるものであればよく、特に指定されない。特に、ホールソーや自在錐は、旧化粧材２を円板状にくり抜き易く、粉塵が発生し難いという点で好ましい。
【００４６】
次に、図３に示すように、旧化粧材２の表面において、化粧材除去穴３，３，…を除く位置に両面接着テープ８を一方の接着面で貼り付ける。また、この貼り付け処理と前後して、上記各化粧材除去穴３に接着剤Ａを充填し、その化粧材除去穴３の底部に露出している下地材１を接着剤Ａで覆う。
【００４７】
このとき、接着剤Ａは、化粧材除去穴３から溢れて旧化粧材２の表面よりも突出する（盛り上がる）程度まで充填するのが好ましい（図３参照）。このように、化粧材除去穴３に充填される接着剤Ａを旧化粧材２の表面よりも突出するようにすることで、その接着剤Ａの充填量の目安が容易になり、接着剤Ａの量が不足するという不具合が生じることはない。また、仮に接着剤Ａを過剰に充填したとしても、その過剰の接着剤Ａは、充填箇所から広がって旧化粧材２と新化粧材６との間に充填されるようになるので、接着力が増大する。
【００４８】
尚、図３では、化粧材除去穴３に接着剤Ａを充填するときに、隣接する化粧材除去穴３，３間の旧化粧材２表面にも接着剤Ａを塗布して、この接着剤Ａで化粧材除去穴３，３の接着剤Ａ，Ａ同士を連続させるようにしている。このようしても、旧化粧材２と新化粧材６との間に接着剤Ａが充填されるので、接着力が増大する。
【００４９】
最後に、新化粧材６を旧化粧材２上に該旧化粧材２を覆うように配置し、その新化粧材６の裏面に上記両面接着テープ８を他方の接着面で接着させることで、化粧材除去穴３を除く旧化粧材２の表面と、新化粧材６の裏面とを両面接着テープ８により接着させる。それとともに、新化粧材６を上記化粧材除去穴３，３，…に充填された接着剤Ａ，Ａ，…により下地材１ないし旧化粧材２に接着して固定する。
【００５０】
そのとき、新化粧材６を旧化粧材２の表面に重ねる際に、その新化粧材６を旧化粧材２の表面に押し付けながら貼着すればよい。こうすることで、旧化粧材２の表面よりも突出している接着剤Ａが充填箇所からその周りの旧化粧材２表面に広がって接着面積が増大し、接着に必要な面積は勿論、それよりも大きな接着面積が容易に得られるようになる。このことで、旧化粧材２の接着がより一層確実になる。
【００５１】
また、上記のように、新化粧材６を旧化粧材２の表面に押し付けながら貼着することで、新化粧材６を適正な位置にずらしながら位置合わせすることができるようになり、内壁を美麗に仕上げることができる。
【００５２】
さらに、上記旧化粧材２の表面と、新化粧材６の裏面とが部分的に両面接着テープ８で接着されているので、上記接着剤Ａが固化して新化粧材６が固定されるまでの間、その新化粧材６を両面接着テープ８によって旧化粧材２に仮止めすることができる。
【００５３】
しかも、両面接着テープ８として厚肉テープを用いることで、旧化粧材２の表面に剥がれや凹凸等の不具合部分に空間が形成されるようになり、新化粧材６を美麗に仕上げることができる。
【００５４】
以上により、上記リフォーム構造が得られる。
【００５５】
したがって、上記実施形態においては、内壁のリフォームの際に、旧化粧材２が部分的に除去されて複数の化粧材除去穴３，３，…が形成されるだけであり、旧化粧材２の全体は除去されないので、破材や粉塵の発生量が減り、廃棄物が少なくなくなる。しかも、大掛かりな工事とならず、住人の生活に及ぼす影響も小さくなる。
【００５６】
また、リフォームでは、旧化粧材２の一部を除去した上で、その旧化粧材２の上に新化粧材６を重ねて貼着するだけの工事で済むので、簡単な工事でよく、その工期も短くなる。
【００５７】
さらに、新化粧材６は、化粧材除去穴３，３，…に充填された接着剤Ａ，Ａ，…によって下地材１に直接接着されるので、旧化粧材２と下地材１との界面状態に不具合があったり、旧化粧材２自体に汚れ、剥がれ、浮き、凹凸等の不備があったとしても、新化粧材６の接着性を確保することができる。
【００５８】
そして、新化粧材６は下地材１と直接接着剤Ａによって接着されて固定されているので、その接着剤Ａを充填するための化粧材除去穴３を、下地材１裏側に躯体がある箇所に限定する必要がなく、施工性が向上する。
【００５９】
また、柔軟性や流動性、接着対象との適性を有する接着剤Ａの特性を利用し、施工現場において、旧化粧材２のうちの除去しなかった部分及び下地材１の表面状態や不陸状態に応じて、上記接着剤Ａの充填量を増減させたり、或いは接着剤Ａの種類を変えたりすることができるので、現場での対応が容易となって施工性が向上する。
【００６０】
さらに、旧化粧材２を除去した化粧材除去穴３が円形状であるので、その化粧材除去穴３に充填される接着剤Ａは化粧材除去穴３から周方向の全体に亘り径方向に均等に広がり易くなる。そのため、新化粧材６に対する必要な接着面積を確実に得ることができる。
【００６１】
また、旧化粧材２に円形状又は略円形状の化粧材除去穴３を形成するときに、刃部が回転するドリルやホールソー等、一般的な作業者が所持している市販の電動工具や空気圧工具を使用することができるので、作業性や施工性がよくなる。
【００６２】
加えて、各化粧材除去穴３に接着剤Ａが、旧化粧材２の表面よりも突出するまで充填されているのでおり、この化粧材除去穴３に充填された接着剤Ａはその旧化粧材２の表面よりも突出し、接着剤Ａはその突出部分で新化粧材６の裏面に確実に接触することとなり、新化粧材６が下地材１と接着剤Ａで確実に接着されて固定される。
【実施例】
【００６３】
次に、具体的に実施した実施例について説明する。
【００６４】
０．５坪のトイレ程度の部屋の内壁をリフォームした。この内壁は、合板下地材上に３′×８′（９３５ｍｍ×２４５５ｍｍ）サイズで厚み３ｍｍのメラミン化粧板（古い化粧材）が５．４枚貼着されている壁面を有しており、その全体の面積は１２ｍ２程度である。
【００６５】
この壁面全体のメラミン化粧板にホールソーを用いて直径４ｃｍの円形状の化粧材除去穴を１１４個、全体に均等な位置になるようにくり抜いて下地材を露出させた。１枚のメラミン化粧板については、２１個の化粧材除去穴が幅方向に３個、また長手方向に７個それぞれ並べられて形成されている。１１４個の化粧材除去穴によって露出した下地材の面積は０．１４ｍ２（＝１２．５６×１１４÷１００００）であった。
【００６６】
各化粧材除去穴にシリコン系接着剤を６ｃｍ３（＝１２．５６×０．５）以上充填させ、その充填された接着剤の一部が化粧材除去穴の開口からメラミン化粧板の表面よりも突出するようにした。
【００６７】
メラミン化粧板の上に、厚み３ｍｍのダイライト（大建工業（株）製の商品名）を基材とした不燃化粧板（新しい化粧材）を重ねて上記化粧材除去穴に充填されている接着剤により貼り付け、接着剤を固化させた。その結果、不燃化粧板を綺麗に固定させて仕上げることができた。
【産業上の利用可能性】
【００６８】
本発明は、リフォーム時に古い化粧材による破材や粉塵の発生が少なくて済み、新しい化粧材の下地材との密着性も高く、美麗に仕上げることができるので、極めて有用で産業上の利用可能性が高い。
【符号の説明】
【００６９】
１  下地材（壁下地材）
２  旧化粧材（古い化粧材）
３  化粧材除去穴（化粧材除去部）
Ａ  接着剤
６  新化粧材（新しい化粧材）
８  両面接着テープ
【図１】
2015055096.tif 000003
【図２】
2015055096.tif 000004
【図３】
2015055096.tif 000005